(57)【要約】【課題】インナーパッドを備えるマスクを提供する。【解決手段】マスク体１０と、少なくとも一つのパッド体２０と、２本の締め紐３０と、を含む。少なくとも一つのパッド体２０は、マスク体１０の使用者の対向側上方付近の中央場所に配置され、使用者の鼻の形に従って様々な形態を形成して、外部の汚染物質が隙間から使用者の口と鼻部へ侵入することを防ぐと共に、熱空気を戻りにくくし、メガネを装着した使用者のメガネの曇りを防ぐ。２本の締め紐３０は、それぞれマスク体の左右両側に繋がれ、使用者の耳に掛けられることによって、マスク体１０を使用者の口と鼻部に固定する。【選択図】図１
0003208377.tif 000002
【実用新案登録請求の範囲】
【請求項１】
インナーパッドを備えるマスクであって、
マスク体と、少なくとも一つのパッド体と、２本の締め紐と、を含み、
前記マスク体は、空気中の汚染物質のろ過に用いられ、前記マスク体の大きさは使用者の鼻部から唇上部の区域に被さる大きさであり、装着するときには、使用者の鼻部から唇上部の区域に被せられ、
前記少なくとも一つのパッド体は前記マスク体の使用者の対向側に配置され、
前記２本の締め紐をそれぞれ前記マスク体の左右両側に繋いで、前記２本の締め紐を使用者の耳に掛けることによって、前記マスク体が使用者の口と鼻部に固定されることを特徴とする、マスク。
【請求項２】
前記少なくとも一つのパッド体は２つのパッド体から構成され、前記マスク体を使用者の対向側上部端付近の中央場所に配置したとき、左右に釣り合った配列形態を形成して、使用者の鼻筋両側の位置に対応し、
前記２つのパッド体はスポンジで構成され、装着するときは、前記２つのパッド体がそれぞれ使用者の鼻筋両側に位置することによって、前記パッド体と使用者の鼻筋両側との隙間を満たすことを特徴とする、請求項１記載のマスク。
【請求項３】
前記少なくとも一つのパッド体は一つのパッド体から構成され、前記マスク体を使用者の対向側に配置したとき、使用者の鼻孔の下方位置に対応し、
前記一つのパッド体は細長いストリップ状のスポンジで形成され、使用者の鼻孔に被せられ、装着するときは、前記一つのパッド体は使用者の鼻孔の下方に取り付けられ、使用者の鼻孔部に被さることを特徴とする、請求項１記載のマスク。
【請求項４】
装着するときに、前記マスク体も合わせて使用者の口部に被さることを特徴とする、請求項１または請求項２記載のマスク。
【請求項５】
前記パッド体に、空気中の粒子をろ過する活性炭素または滅菌部材を含むことを特徴とする、請求項１、請求項２または請求項３記載のマスク。
【請求項６】
前記２つのパッド体の断面は、略三角形に形成されていることを特徴とする、請求項２記載のマスク。
【請求項７】
前記マスク体に、空気中の粒子をろ過する活性炭素を含むことを特徴とする、請求項１、請求項２または請求項３記載のマスク。
【請求項８】
前記２本の締め紐は弾性を有する紐体であり、前記締め紐の両端部をそれぞれ前記マスク体の左右両側の上下の縁部に装着するときは、前記２本の締め紐は使用者の耳の後部側に掛けられ、前記マスク体が使用者の口と鼻部に向かって被さることを特徴とする、請求項１、請求項２または請求項３記載のマスク。
【請求項９】
前記マスク体は多層構造を形成し、前記少なくとも一つのパッド体は、前記マスク体の使用者に向かって一番内部層に取り付けられていることを特徴とする、請求項１、請求項２または請求項３記載のマスク。
【請求項１０】
前記マスク体は綿または不織布で構成されることを特徴とする、請求項１、請求項２または請求項３記載のマスク。
【考案の詳細な説明】
【技術分野】
【０００１】
本考案はマスクに関し、特にインナーパッドを備えたマスクに関する。
【背景技術】
【０００２】
工業の発展につれて、空気の汚染はもはや現在社会でますますきびしい環境問題になりつつある。そのため、マスクは人々が出かけるときの常用品となっている。マスクは主に使用者の口と鼻部に装着され、使用者の口と鼻部を外部と隔離し、口と鼻部に出入りする空気をマスクによってろ過し、有害な気体や臭い、飛沫が使用者の口と鼻部へ出入りすることを阻止する効果を有する。
【考案の概要】
【考案が解決しようとする課題】
【０００３】
従来のマスクは主に、その上部端に針金を横向きに配置し、装着するときにその針金を鼻筋に押しこむえることによって、針金を変形させて、使用者の鼻筋にフイットさせる。しかしながら、この種の方式の密着性が良くなく、マスクと使用者の鼻筋両側との間に隙間ができてしまい、完全に密閉させることはできない。外部の汚染物質がその隙間から使用者の口と鼻部に侵入して、マスクのろ過効果が失われる。
【課題を解決するための手段】
【０００４】
本考案の目的は前述の公知技術の課題を解決することである。
本考案が提案するインナーパッドを備えるマスクは、スポンジ部材で構成されるパッド体をマスクに取り付けて、パッド体の位置を使用者の鼻筋に合わせる。使用者がマスクを装着すると、パッド体によって、マスクと使用者の鼻筋付近部との隙間を満たすことができる。
本考案によるパッド体は、細長いストリップ状に形成され、マスクを使用者の鼻の下方位置に合わせることができる。使用者がマスクを装着したとき、パッド体によって使用者の鼻孔に被さり、使用者の鼻孔部に広範囲に被さることができる。
従って、本考案のパッド体を適用すれば、マスクが広範囲に使用者の口と鼻部に被さることができ、外部の汚染物質が隙間から使用者の口と鼻部に侵入することを防いで、より良い防護効果を達成できる。さらに、熱空気が戻りにくく、メガネを装着した使用者のメガネに曇りができにくい。
本考案を適用すれば、従来の「マスクを装着した後に、使用者の鼻筋両側に隙間が出来て、外部の汚染物質が使用者の口と鼻部から侵入する」という課題を有効に解決することができる。
【図面の簡単な説明】
【０００５】
【図１】本考案の第１実施例を示す図である。
【図２】本考案の第１実施例のもう一つの説明例を示す図である。
【図３】本考案の第２実施例を示す図である。
【図４】本考案の第２実施例のもう一つの説明例を示す図である。
【考案を実施するための形態】
【０００６】
本考案による構造の組成、発揮しうる効果ならびに利点を図式と合わせて、好ましい実施例を以下のとおり詳細に説明する。
【実施例】
【０００７】
（第１実施例）
図１ないし図４を参照する。本考案のインナーパッドを備えるマスクは、マスク体１０と、２つのパッド体２０と、を含む。
【０００８】
マスク体１０は、空気の有害気体、ばい菌と、飛沫等の汚染物質のろ過に用いられる。装着するときは、マスク体１０は使用者の口と鼻部位置に被せられる。マスク体１０は例えば矩形、菱型等様々な形態に形成され、使用者の口と鼻部にフイットする。
【０００９】
マスク体１０は主に、綿または不織布部材で構成されるが、この材質は本考案の請求範囲を限定しない。いかなる部材から構成されるマスク体１０とも本考案の請求範囲に含まれる。好ましくは、空気中の粒子をろ過するために、マスク体１０に活性炭素を含ませることが良い。さらに、マスク体１０は、気体、ばい菌、飛沫のろ過及び防水の目的を達成させる多層構造に形成されることが良い。
【００１０】
２つのパッド体２０はマスク体１０の使用者の対向側上部端付近の中央場所に位置し、左右に釣り合った配列形態を形成して、使用者の鼻筋両側の位置に対応する。２つのパッド体２０はスポンジ部材で構成され、使用者の鼻型に合わせて様々な形態に形成される。好ましくは、２つのパッド体２０の断面を略三角形に形成することが良い。
装着するときは、２つのパッド体２０がそれぞれ使用者鼻筋の両側に位置するように、マスク体１０と、使用者の鼻筋両側との隙間を満たし、マスクを広範囲に使用者の口と鼻部に被せ、外部の汚染物質が隙間から使用者の口と鼻部に侵入することを避ける。さらに、熱空気を戻りにくくし、メガネを装着した使用者のメガネの曇りを防ぐ。
【００１１】
好ましくは、空気中の粒子をろ過するために、２つのパッド体２０に活性炭素または滅菌部材を含ませることが良い。
【００１２】
そのうち、マスク体１０が不織布で構成される場合は、２つのパッド体２０を巻き込み方式により、マスク体１０に取り付けることができる。
【００１３】
２本の締め紐３０をそれぞれマスク体１０の左右両側に繋いで、２本の締め紐３０を使用者の耳に掛けることによって、マスク体１０は使用者の口と鼻部に固定される。締め紐３０は弾性を有する紐体であり、締め紐３０の両端部をそれぞれマスク体１０の左右両側の上下の縁部に装着するときは、２本の締め紐３０を使用者の耳の後部側に掛けて、マスク体１０が使用者の口と鼻部に向かって被さるようにする。
【００１４】
図２に示すように、本実施例によるマスク体１０の大きさは、使用者の鼻部から唇上部の区域までにとどまり、使用者の口部に被さることなく、鼻部から唇上部の区域に被さる。これにより、外部の汚染物質が使用者の鼻部に侵入する心配はなく、使用者の会話及び食事の利便性も妨げられない。
【００１５】
本実施例において、２つのパッド体２０はマスク体１０の使用者に向かって一番内部層に取り付けられており、全体の美感が影響されない。
【００１６】
（第２実施例）
本考案の第２実施例について図３を参照する。図において、第１実施例と同じ部材には同じ番号が付されている。そのうち、マスクは、マスク体１０と、パッド体２０と、を含む。
【００１７】
マスク体１０は、第１実施例のマスク体１０と同じである。
【００１８】
パッド体２０はマスク体１０の使用者の対向側に配置され、使用者の鼻孔の下方位置に対応している。パッド体２０は略細長いストリップ状に形成されており、使用者の鼻孔に被さることができる。パッド体２０は使用者鼻孔の下方に配置され、使用者の鼻孔に被さる。使用者の鼻孔部に広範囲に被さるため、外部の汚染物質がマスク体１０及び使用者の口と鼻部との間の隙間から使用者の鼻内に侵入することを防いで、より良い防護効果を達成できる。さらに、熱空気を戻りにくくし、メガネを装着した使用者のメガネの曇りを防ぐ。
【００１９】
好ましくは、空気中の粒子をろ過するために、２つのパッド体２０に活性炭素または滅菌部材を含ませることが良い。
【００２０】
そのうち、マスク体１０が不織布で構成される場合は、２つのパッド体２０を巻き込み方式により、マスク体１０に取り付けることができる。
【００２１】
締め紐３０は、第１実施例による２本の締め紐３０と同じである。
【００２２】
図４に示すように、本実施例によるマスク体１０の大きさは、使用者の鼻部から唇上部の区域にとどまり、使用者の口部に被さることなく、鼻部から唇上部の区域に被さるようにする。これにより、外部の汚染物質が使用者の鼻部に侵入する心配はなく、使用者の会話及び食事の利便性も妨げられない。
【００２３】
本実施例において、２つのパッド体２０はマスク体１０の使用者に向かって一番内部層に取り付けられており、全体の美感が影響されない。
【００２４】
以上の詳細説明は、本案の好ましい実施例について説明したものに過ぎない。ただし、該実施例は本案になんらの制限を加えるものではない。本案の技術精神に基づく均等効果の応用又は変更は、すべて本案の実用新案登録請求の範囲に含まれるべきである。
【符号の説明】
【００２５】
１０：マスク体
２０：パッド体
３０：締め紐
【図１】
0003208377.tif 000003
【図２】
0003208377.tif 000004
【図３】
0003208377.tif 000005
【図４】
0003208377.tif 000006